(57)【要約】【課題】メッセージをやりとりする過程で特定の人に対するメッセージだけを管理できる機能を提供すること。【解決手段】複数のクライアントからメッセージを送受信し、複数のクライアントのうち、少なくとも１つ以上を特定の人に設定し、送受信されたメッセージのうち、特定の人が送信したメッセージをＶＩＰメッセージとして抽出し、抽出されたＶＩＰメッセージを統合し、統合されたＶＩＰメッセージを、統合チャットルームを介して提供することを含むＶＩＰのメッセージを管理する機能を提供する方法。【選択図】図３
2020021479.tif 000002
【特許請求の範囲】
【請求項１】
端末機のプロセッサにより行われるＶＩＰのメッセージを管理する機能を提供する方法であって、
複数のクライアントからメッセージを送受信し、
前記複数のクライアントのうち、少なくとも１つ以上を特定の人に設定し、
前記送受信されたメッセージのうち、特定の人が送信したメッセージをＶＩＰメッセージとして抽出し、
抽出された前記ＶＩＰメッセージを統合し、
統合された前記ＶＩＰメッセージを、統合チャットルームを介して提供すること、
を含み、
前記ＶＩＰメッセージは、チャットルーム内の前記特定の人のチャットメッセージと、前記特定の人のメールまたは前記特定の人のプロジェクトコメントを含む異種形式メッセージとを含み、
抽出された前記ＶＩＰメッセージを統合することは、前記チャットメッセージと前記異種形式メッセージとを統合することを含むＶＩＰのメッセージを管理する機能を提供する方法。
【請求項２】
前記複数のクライアントのうち、少なくとも１つ以上を特定の人に設定することは、
ＶＩＰ設定インターフェースを提供することを含み、
前記ＶＩＰ設定インターフェースは、
前記複数のクライアントを並べ、並べられた前記クライアントのうち、ユーザが選択した１つのクライアントをＶＩＰに設定するインターフェースと、
前記複数のクライアントを並べ、並べられた前記クライアントのうち、少なくとも２つ以上を選択すれば、選択された前記クライアントをＶＩＰグループに設定するインターフェースと、
少なくとも１つ以上を基準にクライアントを区分するＶＩＰフィルタ設定インターフェースのうち、少なくとも１つ以上のインターフェースと、
を備える請求項１に記載のＶＩＰのメッセージを管理する機能を提供する方法。
【請求項３】
統合された前記ＶＩＰメッセージを、統合チャットルームを介して提供することは、
前記１つのクライアントをＶＩＰに設定するインターフェースを介して１つの特定の人が設定されれば、前記特定の人がユーザに送信したメッセージを１つの統合チャットルームを介して提供し、
前記ＶＩＰグループに設定するインターフェースを介して複数の特定の人が設定されれば、前記複数の特定の人がユーザに送信したメッセージを１つの統合チャットルームを介して提供し、
前記ＶＩＰフィルタ設定インターフェースを介して前記フィルタに適用される少なくとも１つの特定の人が設定されれば、前記設定された特定の人がユーザに送信したメッセージを、統合チャットルームを介して提供する請求項２に記載のＶＩＰのメッセージを管理する機能を提供する方法。
【請求項４】
前記複数のクライアントからメッセージを送受信することは、
前記クライアントが送信したインスタントメッセージを含む少なくとも１つ以上のチャットルームを介してメッセージを送受信すること、
前記クライアントが送信したメールを前記異種形式のメッセージで受信すること、及び
プロジェクト進行中、前記クライアントが前記プロジェクトの特定ステップに作成したコメントを前記異種形式のメッセージで受信することのうち、少なくとも１つ
を含む請求項１に記載のＶＩＰのメッセージを管理する機能を提供する方法。
【請求項５】
前記特定の人が送信したメッセージをＶＩＰメッセージとして抽出することは、
少なくとも２つ以上のチャットルームで前記特定の人が送信した前記メッセージを前記ＶＩＰメッセージとして抽出し、
前記メッセージを抽出したチャットルーム情報を抽出し、
をさらに含む請求項４に記載のＶＩＰのメッセージを管理する機能を提供する方法。
【請求項６】
抽出された前記ＶＩＰメッセージを統合することは、
前記複数のチャットルームから抽出された前記ＶＩＰメッセージを時系列に沿って並べることを含み、
統合された前記ＶＩＰメッセージを、統合チャットルームを介して提供することは、
前記時系列に沿って並べられた前記ＶＩＰメッセージを表示することを含む請求項５に記載のＶＩＰのメッセージを管理する機能を提供する方法。
【請求項７】
前記ＶＩＰメッセージに前記チャットルーム情報を追加して最終ＶＩＰメッセージを生成することをさらに含み、
前記最終ＶＩＰメッセージは、
メッセージの内容、メッセージ受信時刻、メッセージの元の属性、メッセージの元の位置、及びメッセージの元の位置へのリンク情報のうち、少なくとも１つ以上の情報を含む請求項６に記載のＶＩＰのメッセージを管理する機能を提供する方法。
【請求項８】
統合された前記ＶＩＰメッセージを、統合チャットルームを介して提供することは、
前記最終ＶＩＰメッセージを時系列に沿って並べて表示することを含む請求項７に記載のＶＩＰのメッセージを管理する機能を提供する方法。
【請求項９】
前記最終ＶＩＰメッセージを生成することは、
前記チャットルームで前記特定の人のＶＩＰメッセージ前後に表示された前後対話内容情報を追加することをさらに含む請求項８に記載のＶＩＰのメッセージを管理する機能を提供する方法。
【請求項１０】
前記異種形式のメッセージを前記チャットルームメッセージ形式に属性を変換して最終ＶＩＰメッセージを生成するステップをさらに含む請求項４に記載のＶＩＰのメッセージを管理する機能を提供する方法。
【請求項１１】
抽出された前記ＶＩＰメッセージを統合することは、
前記複数のチャットルームから抽出された前記ＶＩＰメッセージと、前記属性変換された前記最終ＶＩＰメッセージとを時系列に沿って統合することを含む請求項１０に記載のＶＩＰのメッセージを管理する機能を提供する方法。
【請求項１２】
統合された前記ＶＩＰメッセージを、統合チャットルームを介して提供することは、
時系列に沿って並べられた前記ＶＩＰメッセージと前記最終ＶＩＰメッセージとを前記統合チャットルームに共に表示することを含む請求項１１に記載のＶＩＰのメッセージを管理する機能を提供する方法。
【請求項１３】
前記属性変換された前記最終ＶＩＰメッセージは、
メッセージの内容、メッセージ受信時刻、メッセージの元の属性、メッセージの元の位置、及びメッセージの元の位置へのリンク情報のうち、少なくとも１つ以上の情報を含む請求項１２に記載のＶＩＰのメッセージを管理する機能を提供する方法。
【請求項１４】
複数のクライアントからメッセージを送受信する通信プロセッサと、
前記送受信したメッセージを表示するディスプレイと、
前記複数のクライアントとメッセージを送受信する機能を提供し、前記複数のクライアントのうち、少なくとも一部をＶＩＰに設定し、管理するＶＩＰ管理機能を提供するプロセッサと、
を備え、
前記プロセッサは、
前記複数のクライアントのうち、少なくとも１つ以上を特定の人に設定し、前記送受信されたメッセージのうち、特定の人が送信したメッセージを前記ＶＩＰメッセージとして抽出し、抽出された前記ＶＩＰメッセージを統合し、統合された前記ＶＩＰメッセージを、統合チャットルームを介して表示するように前記ディスプレイを制御するＶＩＰのメッセージを管理する機能を提供する端末。
【請求項１５】
前記複数のクライアントからメッセージを送受信する機能は、
前記クライアントが送信したインスタントメッセージを含む少なくとも１つ以上のチャットルームを介してメッセージを送受信する機能と、前記クライアントが送信したメールを異種形式のメッセージで受信する機能と、プロジェクト進行中、前記クライアントが前記プロジェクトの特定ステップに作成したコメントを異種形式のメッセージで受信する機能のうち、少なくとも１つの機能を含む請求項１４に記載のＶＩＰのメッセージを管理する機能を提供する端末。
【請求項１６】
前記プロセッサは、
少なくとも２つ以上のチャットルームで前記特定の人が送信したメッセージをＶＩＰメッセージとして抽出し、前記メッセージを抽出したチャットルーム情報をさらに抽出して、前記特定の人が送信したメッセージをＶＩＰメッセージとして抽出するように制御する請求項１５に記載のＶＩＰのメッセージを管理する機能を提供する端末。
【請求項１７】
前記プロセッサは、
前記複数のチャットルームから抽出された前記ＶＩＰメッセージを時系列に沿って並べ、
時系列に沿って並べられた前記ＶＩＰメッセージを表示するように制御する請求項１６に記載のＶＩＰのメッセージを管理する機能を提供する端末。
【請求項１８】
前記プロセッサは、
前記ＶＩＰメッセージに前記チャットルーム情報を追加して前記最終ＶＩＰメッセージを生成するように制御し、
前記最終ＶＩＰメッセージは、
メッセージの内容、メッセージ受信時刻、メッセージの元の属性、メッセージの元の位置、及びメッセージの元の位置へのリンク情報のうち、少なくとも１つ以上の情報を含む請求項１７に記載のＶＩＰのメッセージを管理する機能を提供する端末。
【請求項１９】
前記プロセッサは、
前記最終ＶＩＰメッセージを時系列に沿って並べて表示するように制御する請求項１８に記載のＶＩＰのメッセージを管理する機能を提供する端末。
【請求項２０】
前記プロセッサは、
前記チャットルームで前記特定の人のＶＩＰメッセージ前後に表示された前後対話内容情報を追加して前記最終ＶＩＰメッセージを生成するように制御する請求項１９に記載のＶＩＰのメッセージを管理する機能を提供する端末。
【請求項２１】
請求項１乃至１３のいずれか一項に記載のＶＩＰのメッセージを管理する機能を提供する方法を、
コンピュータに実行させるためのプログラム。
【発明の詳細な説明】
【技術分野】
【０００１】
本発明は、ＶＩＰのメッセージを管理する機能を提供する方法及び端末に関する。
【０００２】
より詳細には、対話、メール、又は／及びプロジェクト共有のために、メッセージを送受信する過程で特定ＶＩＰを管理する機能を提供する方法及び端末に関するものである。
【背景技術】
【０００３】
近年、超高速無線ネットワーク技術及び様々な種類のスマート端末が普及されるにつれて、これを利用したインスタントメッセージサービス（ｉｎｓｔａｎｔ  ｍｅｓｓａｇｅ  ｓｅｒｖｉｃｅ）の活用が増加している。インスタントメッセージサービスは、インターネットのようなネットワークに基づいて２人以上の端末ユーザがチャットルームを開設し、開設されたチャットルーム内でリアルタイムインスタントメッセージ交換を行うサービスである。
【０００４】
しかしながら、従来には、インスタントメッセージサービスにおいて特定の人が様々なチャットルームに含まれている場合、特定の人のメッセージを確認するために、いちいち当該チャットルームに入場してメッセージを確認しなければならないという不便さがあった。
【０００５】
また、一部のＳＮＳサービス上で特定ユーザを指定し、指定したユーザにのみメッセージを伝達し、伝達されたメッセージを受信したユーザが集めて見る方式である「＠リプライ」サービスが提供されていたが、＠リプライサービスを利用する相手方がユーザをリプライしない場合には、メッセージを集めて見ることが不可であるという不便があった。
【０００６】
また、一般的なユーザが一日に相手方とやりとりする送受信チャットメッセージの量も幾何級数的に増えるようになった。ただし、チャットメッセージの量が増えた分だけ、チャットメッセージの各々を体系的に管理するか、既存に送受信したチャットメッセージを再検索及び利用することが困難である可能性がある。
【０００７】
また、最近になって、個人用メッセンジャーでは疲労感が上昇するため、業務用メッセンジャーを区分して別々に使用する企業が増加し、市場規模も増大している。しかし、業務用メッセンジャーを別に使用するにもかかわらず、自動または手動で人々とビジネスとの間にやりとりするメッセージは、平均月２０億件を超えて、ユーザが所望する相手方（例えば、ＶＩＰ顧客）のメッセージだけを区別して管理するのに不便があるなどの理由で体系的なメッセージ管理サービスの必要性が増大している。
【先行技術文献】
【特許文献】
【０００８】
特許文献１：韓国登録特許第１０−１６１４２８７号公報
特許文献２：韓国公開特許第２０１２−０１１８５４２号公報
【発明の概要】
【発明が解決しようとする課題】
【０００９】
本発明は、メッセージをやりとりする過程で特定の人に対するメッセージだけを管理できる機能を提供することを目的とする。
【００１０】
具体的に、本発明の実施形態は、ユーザが指定した特定の人に対するメッセージを抽出して、１つの統合チャットルームに集めて見ることを提供することを目的とする。
【００１１】
また、本発明の実施形態は、対話（ｃｈａｔｔｉｎｇ）機能を介してのメッセージだけでなく、包括的意味での様々なメッセージ送受信機能上に存在するメッセージ等も統合して管理できる機能を提供することを目的とする。
【００１２】
また、本発明の実施形態は、１つに結合された特定の人のメッセージを効果的に管理し、利用できる機能を提供する。
【００１３】
ただし、本発明の実施形態がなそうとする技術的課題は、上記したような技術的課題に限定されず、さらに他の技術的課題が存在する可能性がある。
【課題を解決するための手段】
【００１４】
本発明に係るＶＩＰのメッセージを管理する機能を提供する方法は、複数のクライアントからメッセージを送受信し、複数のクライアントのうち、少なくとも１つ以上を特定の人に設定し、送受信されたメッセージのうち、特定の人が送信したメッセージをＶＩＰメッセージとして抽出し、抽出されたＶＩＰメッセージを統合し、統合されたＶＩＰメッセージを、統合チャットルームを介して提供することを含み、ＶＩＰメッセージは、チャットルーム内の特定の人のチャットメッセージと、特定の人のメールまたは特定の人のプロジェクトコメントを含む異種形式メッセージと、を含み、抽出されたＶＩＰメッセージを統合することは、チャットメッセージと異種形式メッセージとを統合することを含むことを特徴とする。
【発明の効果】
【００１５】
本発明の実施形態に係るＶＩＰのメッセージを管理する機能を提供する方法は、ユーザが指定した特定の人のメッセージを一括的に確認し、管理することができるという長所がある。
【００１６】
また、本発明の実施形態に係るＶＩＰのメッセージを管理する機能を提供する方法は、様々なメッセージ送受信機能上に存在する互いに異なる属性のメッセージを１つのメッセージ送受信機能に適した属性に変換させて提供することにより、様々なメッセージ送受信機能間の互換性を維持でき、可読性を高めることができる。
【００１７】
また、本発明の実施形態に係るＶＩＰのメッセージを管理する機能を提供する方法は、１つに結合された統合メッセージを効果的に管理し、利用できるようにする種々の追加機能を提供して、最も効率的に特定の人を管理することができる。
【図面の簡単な説明】
【００１８】
【図１】本発明の実施形態に係る特定の人及びユーザ間に関連したメッセージを抽出及び結合して管理する端末、サーバ、及び方法に対するブロック図である。
【図２】本発明の実施形態に係る端末の内部ブロック図を示す。
【図３】本発明の実施形態に係る特定の人及びユーザ間に関連したメッセージを抽出し、結合して管理する方法を説明するための端末のフローチャートである。
【図４】本発明の実施形態に係るＶＩＰ設定方法を説明するためのＶＩＰ選択ウィンドウとＶＩＰ目録ウィンドウとを定義するための概念図である。
【図５】本発明の実施形態に係るＶＩＰグループ設定方法を説明するためのＶＩＰ選択ウィンドウとＶＩＰ目録ウィンドウとを定義するための概念図である。
【図６】本発明の実施形態に係るＶＩＰフィルタ設定方法を説明するためのＶＩＰフィルタ選択ウィンドウとＶＩＰ目録ウィンドウとを定義するための概念図である。
【図７】本発明の実施形態に係る統合チャットルームを定義するための概念図である。
【図８】本発明の実施形態に係るＶＩＰメッセージ強調表示を実現した一例である。
【図９】本発明の実施形態に係る特定の人及びユーザ間に関連したメッセージを抽出し、結合して管理する方法を説明するためのサーバのフローチャートである。
【発明を実施するための形態】
【００１９】
本発明は、様々な変換を加えることができ、種々の実施形態を有することができるところ、特定の実施形態を図面に例示し、詳細な説明に詳しく説明する。本発明の効果及び特徴、そして、それらを達成する方法は、図面とともに詳しく後述されている実施形態を参照すれば明確になるであろう。しかし、本発明は、以下において開示される実施形態等に限定されるものではなく、様々な形態で実現されることができる。以下の実施形態において、第１、第２などの用語は、限定的な意味ではなく、１つの構成要素を他の構成要素と区別する目的として使用された。また、単数の表現は、文脈上、明白に異なるように意味しない限り、複数の表現を含む。また、「含む」または「有する」などの用語は、明細書上に記載された特徴または構成要素が存在することを意味するものであり、１つ以上の他の特徴または構成要素が付加される可能性を予め排除するものではない。また、図面では、説明の都合上、構成要素等がその大きさが拡張または縮小され得る。例えば、図面に示された各構成の大きさ及び厚さは、説明の都合上、任意に示したので、本発明が必ずしも図示されたところに限定されない。
【００２０】
以下、添付された図面を参照して本発明の実施形態を詳しく説明し、図面を参照して説明するとき、同一であるか、対応する構成要素は同様の図面符号を付し、これに対する重複する説明は省略する。
【００２１】
図１は、本発明の実施形態に係る特定の人及びユーザ間に関連したメッセージを抽出及び結合して管理する端末、サーバ、及び方法に対するブロック図である。
【００２２】
図１に示すように、実施形態に係る特定の人及びユーザ１００ａ間に関連したメッセージを抽出及び結合して管理するシステムは、ユーザ端末２００ａ、クライアント端末２００ｂ、２００ｃ、２００ｄ、２００ｅ、・・・、２００ｎ（以下、２００ｎとして記載）、ＶＩＰ管理サービス提供サーバ３００を備えることができる。ユーザ端末２００ａとクライアント端末２００ｎとは、端末を使用する主体を区分するためのものであり、ユーザ端末２００ａとクライアント端末との共通的な特徴は、端末２００として説明する。
【００２３】
また、図１の各構成要素等は、ネットワーク（Ｎｅｔｗｏｒｋ）を介して接続されることができる。ネットワークは、端末２００及びＶＩＰ管理サービス提供サーバ３００のようなそれぞれのノード相互間に情報交換が可能な接続構造を意味するものであって、このようなネットワークの一例には、３ＧＰＰ（３ｒｄ  Ｇｅｎｅｒａｔｉｏｎ  Ｐａｒｔｎｅｒｓｈｉｐ  Ｐｒｏｊｅｃｔ）ネットワーク、ＬＴＥ（Ｌｏｎｇ  Ｔｅｒｍ  Ｅｖｏｌｕｔｉｏｎ）ネットワーク、ＷＩＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）ネットワーク、インターネット（Ｉｎｔｅｒｎｅｔ）、ＬＡＮ（Ｌｏｃａｌ  Ａｒｅａ  Ｎｅｔｗｏｒｋ）、Ｗｉｒｅｌｅｓｓ  ＬＡＮ（Ｗｉｒｅｌｅｓｓ  Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＰＡＮ（Ｐｅｒｓｏｎａｌ  Ａｒｅａ  Ｎｅｔｗｏｒｋ）、ブルートゥース（登録商標）（Ｂｌｕｅｔｏｏｔｈ（登録商標））ネットワーク、衛星放送ネットワーク、アナログ放送ネットワーク、ＤＭＢ（Ｄｉｇｉｔａｌ  Ｍｕｌｔｉｍｅｄｉａ  Ｂｒｏａｄｃａｓｔｉｎｇ）ネットワークなどが含まれるが、これに限定されない。
【００２４】
＜ユーザ端末＞
まず、ユーザ１００ａとは、ＶＩＰ管理サービス提供サーバ３００を介してＶＩＰ管理機能を使用するユーザを意味する。
【００２５】
このようなユーザ１００ａは、ユーザ端末２００ａを使用して複数のクライアントとメッセージを送受信できる。すなわち、ユーザ端末２００ａは、複数のクライアントとチャットルームを介してチャットしてインスタントメッセージを送受信する機能を提供できる。
【００２６】
さらに、ユーザ端末２００ａは、チャットルームチャットだけでなく、チャットルームチャット機能を含む１つのメッセージ送受信機能内でメールをやりとりするか、またはプロジェクト進行中、コメントをやりとりする機能などを提供することもできる。
【００２７】
そして、ユーザ１００ａは、ユーザ端末２００ａを介して、メッセージをやりとりしたクライアントのうち、少なくとも一部を特定の人として選定し、選定された特定の人及びユーザ１００ａ間に関連したメッセージを効果的に統合して管理するＶＩＰ管理サービスを利用できる。
【００２８】
＜クライアント端末＞
ユーザ１００は、ＶＩＰ管理サービスを利用する全ての人を意味し、クライアントは、ＶＩＰ管理サービスを利用するユーザ１００のうち、ユーザ１００ａとメッセージをやりとりしたユーザ１００と定義する。
【００２９】
すなわち、以下、本発明の実施形態では、ユーザ１００ａとメッセージ送受信機能を介してメッセージをやりとりするユーザ１００をクライアントと定義し、特定の人は、クライアントのうち、ユーザ１００ａをＶＩＰに設定されたユーザ１００と定義する。
【００３０】
ここで、ＶＩＰは、ユーザ１００ａが特別に管理する特定の対象であって、ユーザ１００ａがユーザ端末２００ａを使用してＶＩＰ設定をすることにより指定することができる。
【００３１】
例えば、任意のユーザ１００ａは、クライアントのうち、クライアント２（１００ｃ）を特定の人として選定することができ、選定されたクライアント２（１００ｃ）は、ユーザに対する特定の人に分類されることができる。
【００３２】
また、以下、本発明の実施形態では、ＶＩＰ管理サービスを利用する主体をユーザ１００ａに限定して説明するが、上述によりユーザ１００ａは、クライアントのうち、任意の１つとしてクライアントがＶＩＰ管理サービスの主体になり得ることは自明である。
【００３３】
以下、ユーザ端末２００ａとクライアント端末２００ｎとは、ＶＩＰ管理サービスを使用する者の端末と、管理される対象の端末とを区分するためのものであるから、両端末の共通的な特徴を先に下記のように説明する。
【００３４】
＜端末＞
図２は、本発明の実施形態に係る端末２００の内部ブロック図を示す。
【００３５】
図２に示すように、端末２００は、通信部２１０、メモリ２２０、インターフェース部２３０、ディスプレイ部２４０、入力部２５０、出力部２６０、及びプロセッサ２７０を備えることができる。
【００３６】
端末２００は、ＶＩＰ管理サービスに接続できる端末２００であって、ＶＩＰ管理サービス機能を提供するアプリケーションが設けられた携帯用端末や、プログラムが設けられた固定型端末を備えることができる。
【００３７】
例えば、端末２００は、携帯用端末として、スマートフォン、デジタル放送用端末機、携帯電話、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、ナビゲーション、タブレットＰＣ（ｔａｂｌｅｔ  ＰＣ）、ウェアラブルデバイス（ｗｅａｒａｂｌｅ  ｄｅｖｉｃｅ）、及びスマートグラス（ｓｍａｒｔ  ｇｌａｓｓ）などを備えることができる。
【００３８】
また、端末２００は、固定型端末であるデスクトップＰＣ、ノートブックコンピュータ（ｌａｐｔｏｐ  ｃｏｍｐｕｔｅｒ）、ウルトラブック（ｕｌｔｒａｂｏｏｋ）のようなパーソナルコンピュータなどのように、有無線通信に基づいてＶＩＰ管理サービスに接続できるコンピュータ装置をさらに備えることができる。
【００３９】
このとき、端末２００には、様々なメッセージ送受信機能を提供するためのアプリケーション（または、コンピュータプログラム）が設けられ得るし、アプリケーションを介して、ウェブブラウザまたは既に設けられた他の応用プログラムを介して様々なメッセージ送受信機能を提供できる。
【００４０】
ここで、メッセージ送受信機能には、インスタントメッセージ機能、メールメッセージ機能、プロジェクトコメントメッセージ機能、ＳＭＳメッセージ機能、ＳＮＳメッセージ機能、スケジュール共有メッセージ機能、及び決裁要請メッセージ機能のうち、いずれか１つ以上を含むことができる。
【００４１】
具体的に、実施形態において端末２００は、少なくとも１つ以上のチャットルーム内でクライアント端末と送受信したインスタントメッセージを表示するインスタントメッセージ機能を提供できる。参考までに、チャットルームとは、１つ以上のクライアントが参加してインスタントメッセージを交換できるようにＶＩＰ管理サービス提供サーバ３００上に開設される仮想空間を意味する。
【００４２】
このようなメッセージ送受信機能と、ＶＩＰ管理機能を提供するために、端末２００の各ユニットが駆動する過程を詳細に説明する。
【００４３】
まず、通信部２１０は、ＶＩＰ管理サービス提供サーバ３００や外部通信装置とデータ通信を介してメッセージ送受信機能を提供するためのデータを送受信でき、ＶＩＰ管理機能を提供するためのデータを送受信できる。
【００４４】
このような通信部２１０は、移動通信のための技術標準または通信方式（例えば、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）等）によって構築された移動通信網上で基地局、外部の端末、ＶＩＰ管理サービス提供サーバ３００のうち、少なくとも１つと無線信号を送受信する通信プロセッサであってもよい。
【００４５】
また、通信部２１０は、ＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、Ｗｉ−Ｆｉ（Ｗｉｒｅｌｅｓｓ−Ｆｉｄｅｌｉｔｙ）  Ｄｉｒｅｃｔ、ＤＬＮＡ（登録商標）（Ｄｉｇｉｔａｌ  Ｌｉｖｉｎｇ  Ｎｅｔｗｏｒｋ  Ａｌｌｉａｎｃｅ）、ＷｉＢｒｏ（Ｗｉｒｅｌｅｓｓ  Ｂｒｏａｄｂａｎｄ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）などの無線通信方式で無線信号を送受信する通信プロセッサであってもよい。
【００４６】
また、通信部２１０は、近距離無線通信方式で無線信号を送受信できる。例えば、通信部２１０は、ブルートゥース（登録商標）（Ｂｌｕｅｔｏｏｔｈ（登録商標））、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）、ＺｉｇＢｅｅ、ＮＦＣ（Ｎｅａｒ  Ｆｉｅｌｄ  Ｃｏｍｍｕｎｉｃａｔｉｏｎ）、Ｗｉ−Ｆｉ（Ｗｉｒｅｌｅｓｓ−Ｆｉｄｅｌｉｔｙ）、Ｗｉ−Ｆｉ  Ｄｉｒｅｃｔ、Ｗｉｒｅｌｅｓｓ  ＵＳＢ（Ｗｉｒｅｌｅｓｓ  Ｕｎｉｖｅｒｓａｌ  Ｓｅｒｉａｌ  Ｂｕｓ）技術のうち、少なくとも１つを利用して近距離通信を支援する通信プロセッサであってもよい。
【００４７】
次いで、メモリ２２０は、本発明の実施形態に係る機能動作に必要な応用プログラム、データ、及び命令語のうち、いずれか１つ以上を格納することができる。
【００４８】
実施形態として、メモリ２２０は、ユーザ１００ａと複数のクライアントとの間のメッセージ送受信サービスを提供するためのアプリケーションを格納することができ、既に設けられた他のアプリケーションと連動して使用できるメッセージ送受信応用プログラムを格納することもできる。
【００４９】
このようなメモリ２２０は、プログラム領域とデータ領域とを含むことができる。プログラム領域は、端末２００をブーティングするオペレーションシステム（ＯＳ：Ｏｐｅｒａｔｉｎｇ  Ｓｙｓｔｅｍ）及び機能要素等の間に繋がることができ、データ領域は、端末２００の使用によって発生するデータが格納され得る。
【００５０】
このようなメモリ２２０は、ＲＯＭ、ＲＡＭ、ＥＰＲＯＭ、フラッシュドライブ、ハードドライブなどのような様々な格納機器であってもよいし、インターネット（ｉｎｔｅｒｎｅｔ）上でメモリ２２０の格納機能を果たすウェブストレージ（ｗｅｂ  ｓｔｏｒａｇｅ）であってもよい。
【００５１】
インターフェース部２３０は、端末２００の入力及び出力周辺機器をＣＰＵ及びメモリ２２０に接続するのに使用されることができる。
【００５２】
このようなインターフェース部２３０は、有無線ヘッドセットポート（ｐｏｒｔ）、外部充電器ポート（ｐｏｒｔ）、有無線データポート（ｐｏｒｔ）、メモリ２２０カード（ｍｅｍｏｒｙ  ｃａｒｄ）ポート、識別モジュールが備えられた装置を接続するポート（ｐｏｒｔ）、オーディオＩ／Ｏ（Ｉｎｐｕｔ／Ｏｕｔｐｕｔ）ポート（ｐｏｒｔ）、ビデオＩ／Ｏ（Ｉｎｐｕｔ／Ｏｕｔｐｕｔ）ポート（ｐｏｒｔ）、イヤホンポート（ｐｏｒｔ）のうち、少なくとも１つを含むことができる。また、インターフェース部２３０は、ブルートゥース（登録商標）、やワイファイなどのような近距離無線通信モジュールを含むこともできる。
【００５３】
次に、ディスプレイ部２４０は、グラフィックイメージを表示することができる。
【００５４】
このようなディスプレイ部２４０は、信号を伝達するディスプレイ回路とイメージを表示するディスプレイパネルとからなることができる。
【００５５】
具体的に、ディスプレイ部２４０は、送受信したメッセージを含むチャットルームを表示でき、ＶＩＰ管理機能を提供するためのＶＩＰ設定ウィンドウ、ＶＩＰ目録ウィンドウ、ＶＩＰフィルタ設定ウィンドウ、及び統合管理室のうち、少なくともいずれか１つ以上をグラフィックイメージで表示することができる。
【００５６】
このようなディスプレイ部２４０は、パーソナルコンピュータに直接装着されたディスプレイであってもよいし、インターフェース部２３０を介して接続されたディスプレイ装置であってもよい。
【００５７】
また、ディスプレイ部２４０は、液晶ディスプレイ（ｌｉｑｕｉｄ  ｃｒｙｓｔａｌ  ｄｉｓｐｌａｙ、ＬＣＤ）、薄膜トランジスタ液晶ディスプレイ（ｔｈｉｎ  ｆｉｌｍ  ｔｒａｎｓｉｓｔｏｒ−ｌｉｑｕｉｄ  ｃｒｙｓｔａｌ  ｄｉｓｐｌａｙ、ＴＦＴ  ＬＣＤ）、有機発光ダイオード（ｏｒｇａｎｉｃ  ｌｉｇｈｔ−ｅｍｉｔｔｉｎｇ  ｄｉｏｄｅ、ＯＬＥＤ）、フレキシブルディスプレイ（ｆｌｅｘｉｂｌｅ  ｄｉｓｐｌａｙ）、３次元ディスプレイ（３Ｄ  ｄｉｓｐｌａｙ）、電子インキディスプレイ（ｅ−ｉｎｋ  ｄｉｓｐｌａｙ）のうち、少なくとも１つを含むことができる。
【００５８】
次に、入力部２５０は、ユーザ１００ａの入力を検出できる。
【００５９】
例えば、入力部２５０は、ユーザ１００ａのメッセージ内容入力、プロジェクトコメントメッセージ内容入力、ＶＩＰ設定要請入力、ＶＩＰ設定入力、及び／又は最終ＶＩＰメッセージ追加管理機能入力などを検出できる。
【００６０】
また、入力部２５０は、ディスプレイ部２４０と結合されたタッチセンサを備えることができる。また、インターフェース部２３０を介して接続されたマウス、キーボードなどの入力装置を備えることもできる。
【００６１】
出力部２６０は、各種オーディオサウンド、ハプティック信号、及び／又はライト表示燈など、様々な方式の信号を処理し、出力することができる。
【００６２】
実施形態として、オーディオ処理部は、端末２００から出力するオーディオ信号を再生したり、またはマイク（ＭＩＣ）から入力される音声などのオーディオ信号を制御したりする機能を果たすことができる。
【００６３】
最後に、プロセッサ２７０は、前述した各ユニットの全般的な動作を制御し、駆動することができる。
【００６４】
具体的に、実施形態において、プロセッサ２７０は、各ユニットの全般的な動作を制御し、駆動することにより、端末２００とＶＩＰ管理サービス提供サーバ３００との間の連動を可能なようにし、円滑なＶＩＰ管理サービスを提供することがきる。
【００６５】
このようなプロセッサ２７０は、ＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、制御機（ｃｏｎｔｒｏｌｌｅｒｓ）、マイクロコントローラ（ｍｉｃｒｏ−ｃｏｎｔｒｏｌｌｅｒｓ）、マイクロプロセッサ（ｍｉｃｒｏｐｒｏｃｅｓｓｏｒｓ）、その他、機能実行のための電気的ユニットのうち、少なくとも１つを利用して実現されることができる。
【００６６】
＜ＶＩＰ管理サービス提供サーバ３００＞
ＶＩＰ管理サービス提供サーバ３００は、ネットワークを介して複数の端末２００とデータを送受信し、ＶＩＰ管理サービスの円滑な提供を補助できる。
【００６７】
より具体的に、実施形態として、ＶＩＰ管理サービス提供サーバ３００は、端末２００に設けられたアプリケーションの実行に必要な各種データを送信できる。
【００６８】
また、ＶＩＰ管理サービス提供サーバ３００は、端末２００から受信した情報をデータベース化して格納することができる。
【００６９】
また、ＶＩＰ管理サービス提供サーバ３００は、任意の端末２００から受信した情報をさらに他の端末２００へ送信する中継役割を果たすこともできる。
【００７０】
また、ＶＩＰ管理サービス提供サーバ３００は、端末２００の要請に応答してアプリケーション実行ファイルを端末２００に提供する機能を果たすことができ、端末２００で実行されるアプリケーションの全般的な管理を、通信を介して行うこともできる。
【００７１】
実施形態として、ＶＩＰ管理サービス提供サーバ３００は、制御部、データベース、メッセージ受信部、及びメッセージ送信部のうち、少なくともいずれか１つ以上を備えることができる。
【００７２】
以下、本発明の実施形態では、ユーザ１００ａが指定した特定クライアントをＶＩＰに設定し、ユーザ１００ａと設定したＶＩＰとの間に関連したメッセージを抽出及び結合して１つの統合管理室を生成し、生成した統合管理室を出力及び管理するなどの一連の過程が端末２００でなされることを説明する。しかし、他の実施形態においては、上記の一連のデータ処理過程のうち一部は端末２００で行われ、残りの一部はＶＩＰ管理サービス提供サーバ３００で行われてもよい。
【００７３】
＜ＶＩＰ管理サービス提供方法＞
ＶＩＰ及びユーザ１００ａ間に関連したメッセージを抽出及び結合して管理する方法について詳細に説明する。
【００７４】
まず、図３は、本発明の実施形態に係る特定の人及びユーザ１００ａ間に関連したメッセージを抽出し、結合して管理する方法を説明するための端末２００のフローチャートを示す。
【００７５】
図３に示すように、ユーザ端末２００ａは、複数のクライアントとメッセージを送受信できる（ステップＳ１０１）。
【００７６】
実施形態において、ユーザ端末２００ａは、クライアントが含まれた少なくとも１つ以上のチャットルームを介してクライアント端末と送受信したインスタントメッセージを表示するインスタントメッセージ機能を提供できる。すなわち、ユーザ端末２００ａは、複数のクライアントとチャットルームを介してチャットして、インスタントメッセージを送受信する機能を提供できる。
【００７７】
さらに、ユーザ端末２００ａは、チャットルームチャットだけでなく、チャットルームチャット機能を含む１つのメッセージ送受信機能内でメールをやりとりしたり、またはプロジェクト進行中に、コメントをやりとりする機能等を介してもクライアント等とメッセージをやりとりしたりすることができる。
【００７８】
すなわち、実施形態におけるメッセージには、チャットルームを介して表示されるインスタントメッセージだけでなく、同じメッセージ送受信機能内でクライアントとやりとりしたメールまたはプロジェクトコメントなどの異種形式のメッセージも含まれることができる。
【００７９】
すなわち、ユーザ端末２００ａに設けられたアプリケーションには、インスタントメッセンジャープログラム、メールプログラム、プロジェクト管理プログラム、ＳＭＳプログラム、ＳＮＳプログラム、スケジュール管理プログラム、及び決裁管理プログラムのうち、少なくともいずれか１つ以上のプログラムが含まれ得るし、このようなメッセージ送受信プログラムを１つのアカウントとして利用可能であってもよい。
【００８０】
また、ユーザ端末２００ａは、記述されたプログラムをそれぞれ分離されたプログラム状態で内蔵することができ、記述されたプログラムのうち、少なくとも１つ以上を含んで統合して管理するプログラム状態で内蔵することもできる。
【００８１】
また、実施形態として、ユーザ端末２００ａは、インスタントメッセンジャープログラムを駆動する場合、クライアントが送ったインスタントメッセージを含むチャットルームをグラフィックイメージで画面上に表示することができる。
【００８２】
ここで、チャットルームは、ユーザ１００ａが単独で使用する単独チャットルーム、ユーザ１００ａと１つの任意のクライアントとが参加して使用する一対一チャットルーム、及びユーザ１００ａと１つ以上の任意のクライアントとが参加して使用する一対多チャットルームのうち、少なくともいずれか１つ以上を含むことができる。
【００８３】
このようなメッセージ送受信機能を提供するユーザ端末２００ａは、特別に管理する対象であるＶＩＰとユーザ１００ａとの間に関連したメッセージだけを一度に集めて見ることができるＶＩＰ管理機能をさらに提供することができる。
【００８４】
すなわち、ユーザ端末２００ａは、ユーザがＶＩＰ管理機能を提供し、ユーザ１００ａの実行入力を受けると、ＶＩＰ管理機能を実行できる（ステップＳ１０２）。
【００８５】
このとき、予めユーザ１００ａがクライアントのうち、少なくとも一部をＶＩＰに設定した場合に、ユーザ端末２００ａは、設定されたＶＩＰを管理する機能を提供でき、仮に、ＶＩＰ設定がないか、ユーザがＶＩＰ設定を要請すれば、ＶＩＰ設定インターフェースを先に提供することができる。
【００８６】
そして、ユーザ端末２００ａは、ユーザ１００ａがＶＩＰ設定インターフェースにしたがって入力した情報に応じてＶＩＰ設定情報を生成できる（ステップＳ１０３）。
【００８７】
このとき、ユーザ端末２００ａは、ユーザ１００ａに様々な方式のＶＩＰ設定インターフェースを提供できる。ここで、様々な方式のＶＩＰ設定インターフェースは、１）ユーザ１００ａが１つの特定クライアントを選択し、選択されたクライアントをＶＩＰに設定する方法、２）ユーザ１００ａが複数の特定クライアントを選択し、選択された複数のクライアントを全て含むＶＩＰグループを設定する方法、３）ユーザ１００ａがＶＩＰフィルタ設定を介して設定されたフィルタに該当するクライアントを含むＶＩＰグループを設定する方法があってもよい。
【００８８】
より具体的に、図４〜図６に示すように、ユーザ端末２００ａは、ユーザ１００ａにＶＩＰ設定インターフェースを提供するために、ＶＩＰ選択ウィンドウ及び／又はＶＩＰフィルタ選択ウィンドウ５０を表示することができる。
【００８９】
ここで、ＶＩＰ選択ウィンドウは、ＶＩＰ選択ウィンドウ名称、検索ウィンドウ１１、選択ボタン、及び他のクライアント情報のうち、少なくともいずれか１つ以上を含むことができる。
【００９０】
ここで、実施形態として、検索ウィンドウ１１は、ユーザ１００ａの指定及び／又は他のクライアントの直接指定方法で設定された他のクライアントの名前及び／又は他のクライアント勘定に基づいてユーザ１００ａが保有した他のクライアント勘定情報を検索することができる。
【００９１】
また、選択ボタンは、他のクライアント情報の各々に付与されることができ、ユーザ１００ａがＶＩＰに設定する他のクライアントに付与された選択ボタンをクリックしてＶＩＰを選択することができる。このとき、選択ボタンは、他のクライアント情報の一部にチェックボックス形態で存在することができ、他のクライアント情報を表すレイヤ自体である場合もある。
【００９２】
また、他のクライアント情報は、他のクライアントのプロフィール写真、名前、及び勘定情報のうち、少なくともいずれか１つ以上を含むことができる。さらに、他のクライアント情報は、少なくとも１つ以上がＶＩＰ選択ウィンドウに表示され得ることができる。
【００９３】
続いて、ユーザ端末２００ａは、ユーザ１００ａがＶＩＰ選択ウィンドウを利用して入力した情報に基づいてＶＩＰ設定情報を生成でき、生成したＶＩＰ設定情報に基づいて特定クライアントをＶＩＰに設定することができる。
【００９４】
そして、ユーザ端末２００ａは、設定したＶＩＰに対するＶＩＰ情報を１つの目録に結合してＶＩＰ目録ウィンドウを生成し、出力することができる。
【００９５】
具体的に、ユーザ端末２００ａは、予め設定されたＶＩＰ情報と現在設定されたＶＩＰ情報とを１つの目録に結合してＶＩＰ目録ウィンドウとして生成し、出力することができる。
【００９６】
ここで、ＶＩＰ情報は、ＶＩＰのプロフィール写真、名前、及び勘定情報のうち、少なくともいずれか１つ以上を含むことができる。さらに、ＶＩＰ情報は、少なくとも１つ以上がＶＩＰ目録ウィンドウに表示され得る。
【００９７】
このとき、ＶＩＰ目録ウィンドウは、ＶＩＰ目録ウィンドウ名称、検索ウィンドウ１１、及びＶＩＰ情報のうち、少なくともいずれか１つ以上を含むことができる。
【００９８】
実施形態として、図４に示すように、ユーザ端末２００ａは、ユーザ１００ａが１つの特定クライアントを選択してＶＩＰに設定する方法をユーザ１００ａに提供することができ、このとき、ユーザ１００ａにＶＩＰ選択ウィンドウ１（１０）を表示することができる。
【００９９】
ここで、ＶＩＰ選択ウィンドウ１（１０）は、ＶＩＰ選択ウィンドウ１（１０）の名称を含むことができるレイヤ、検索ウィンドウ１１、選択ボタン、及び他のクライアント情報のうち、少なくともいずれか１つ以上を含むことができる。
【０１００】
また、ＶＩＰ選択ウィンドウ１（１０）は、少なくとも１つ以上の他のクライアント情報を含むことができ、実施形態として、他のクライアント１（１０ａ）、他のクライアント２（１０ｂ）、及び他のクライアント３（１０ｃ）がＶＩＰ選択ウィンドウ１（１０）に含まれ得る。
【０１０１】
次いで、ユーザ端末２００ａは、ユーザ１００ａがＶＩＰ選択ウィンドウ１（１０）に入力した情報に基づいてＶＩＰ設定情報を生成でき、生成したＶＩＰ設定情報に基づいて特定クライアント（実施形態において、他のクライアント１（１０ａ））をＶＩＰに設定することができる。
【０１０２】
また、ユーザ端末２００ａは、設定したＶＩＰ（実施形態において、他のクライアント１（１０ａ））のＶＩＰ情報を１つの目録に結合してＶＩＰ目録ウィンドウ１（２０）を生成し、出力することができる。
【０１０３】
このとき、ＶＩＰ目録ウィンドウ１（２０）は、ＶＩＰ目録ウィンドウ１（２０）の名称を含むことができるレイヤ、検索ウィンドウ１１、及びＶＩＰ情報のうち、少なくともいずれか１つ以上を含むことができ、予め設定されたＶＩＰ情報があった場合、予め設定されたＶＩＰ情報と現在設定されたＶＩＰ情報とを１つの目録に結合してＶＩＰ目録ウィンドウ１（２０）として生成し、出力することができる。
【０１０４】
さらに他の実施形態として、図５に示すように、ユーザ端末２００ａは、ユーザ１００ａが複数の特定クライアントを選択してＶＩＰグループを設定する方法を提供でき、このとき、ユーザ１００ａにＶＩＰ選択ウィンドウ２（３０）を表示することができる。
【０１０５】
ここで、ＶＩＰ選択ウィンドウ２（３０）は、少なくとも１つ以上の他のクライアント情報を含むことができ、実施形態として、他のクライアント１（１０ａ）、他のクライアント２（１０ｂ）、及び他のクライアント３（１０ｃ）がＶＩＰ選択ウィンドウ１（１０）に含まれ得る。
【０１０６】
また、ユーザ端末２００ａは、ユーザ１００ａがＶＩＰ選択ウィンドウ２（３０）に入力した情報に基づいてＶＩＰ設定情報を生成でき、生成したＶＩＰ設定情報に基づいて、特定クライアント（実施形態において、他のクライアント１（１０ａ）、他のクライアント２（１０ｂ））をＶＩＰグループに設定することができる。
【０１０７】
また、ユーザ端末２００ａは、設定したＶＩＰ（実施形態において、他のクライアント１（１０ａ）、他のクライアント２（１０ｂ））のＶＩＰ情報を１つの目録に結合してＶＩＰ目録ウィンドウ２（４０）を生成し、出力することができる。
【０１０８】
このとき、ＶＩＰ目録ウィンドウ２（４０）は、他のクライアント１（１０ａ）及び他のクライアント２（１０ｂ）のＶＩＰ情報を１つのレイヤに結合して表示することができる。
【０１０９】
一方、実施形態では、ＶＩＰ選択ウィンドウがＶＩＰ選択ウィンドウ名称、検索ウィンドウ１１、選択ボタン、及び他のクライアント情報のうち、少なくともいずれか１つ以上で構成されることができると説明したが、通常の技術者が実施できる範囲内で様々な構成及びＵＩで実現され得る。
【０１１０】
一方、図６に示すように、ユーザ端末２００ａは、ユーザ１００ａにＶＩＰフィルタ設定を利用してＶＩＰグループを設定する方法を提供でき、このとき、ＶＩＰフィルタ選択ウィンドウ５０を表示することができる。
【０１１１】
ここで、ＶＩＰフィルタ選択ウィンドウ５０は、ＶＩＰフィルタ選択ウィンドウ５０名称、検索ウィンドウ１１、選択ボタン、及び他のクライアント情報のうち、少なくともいずれか１つ以上を含むことができる。
【０１１２】
ここで、ＶＩＰフィルタ選択ウィンドウ５０の選択ボタンは、他のクライアント情報の各々に付与されることができ、全て選択された状態で基本設定されていることができ、ＶＩＰに含まない他のクライアントに付与された選択ボタンをクリックして選択解除５２することができる。このとき、選択ボタンは、他のクライアント情報の一部にチェックボックス形態で存在することができ、他のクライアント情報を表すレイヤ自体である場合もある。
【０１１３】
さらに、ＶＩＰフィルタ選択ウィンドウ５０の選択ボタンは、フィルタウィンドウ上にも付与されることができる。
【０１１４】
ここで、フィルタウィンドウに付与された選択ボタンは、全てチェック解除された状態で基本設定されていることができ、フィルタリング基準で選択するフィルタ基準に付与された選択ボタンをクリックして選択することができる。
【０１１５】
このとき、フィルタウィンドウは、ユーザ１００ａがＶＩＰをフィルタ基準にしたがうフィルタリングを介して設定するようにさせる機能を提供できる。
【０１１６】
このとき、フィルタ基準は、職級、年次、年齢、及び性別のうち、少なくともいずれか１つ以上を含むことができ、複数選択されることができる。
【０１１７】
これにより、ユーザ端末２００ａは、ユーザ１００ａが有している他のクライアント情報から選択されたフィルタ基準に適した他のクライアント情報だけを抽出してＶＩＰフィルタ選択ウィンドウ５０に表示することができる。
【０１１８】
ユーザ端末２００ａは、ユーザ１００ａがＶＩＰフィルタ選択ウィンドウ５０に入力した情報に基づいてＶＩＰ設定情報を生成でき、生成したＶＩＰ設定情報に基づいて特定クライアント（実施形態において、他のクライアント４（２０ａ）、他のクライアント５（２０ｂ）、及び他のクライアント６（２０ｃ））をＶＩＰグループに設定することができる。
【０１１９】
また、ユーザ端末２００ａは、設定したＶＩＰ（実施形態において、他のクライアント４（２０ａ）、他のクライアント５（２０ｂ）、及び他のクライアント６（２０ｃ））のＶＩＰ情報を１つの目録に結合してＶＩＰ目録ウィンドウ３（６０）またはＶＩＰ目録ウィンドウ４（７０）を生成し、出力することができる。
【０１２０】
このとき、ＶＩＰ目録ウィンドウ３（６０）は、他のクライアント４（２０ａ）、他のクライアント５（２０ｂ）、及び他のクライアント６（２０ｃ）のＶＩＰ情報を１つのレイヤに結合して表示することができる。また、ＶＩＰ目録ウィンドウ４（７０）は、他のクライアント４（２０ａ）、他のクライアント５（２０ｂ）、及び他のクライアント６（２０ｃ）のＶＩＰ情報をそれぞれ他のレイヤに生成して表示することができる。
【０１２１】
実施形態では、ＶＩＰフィルタ選択ウィンドウ５０がＶＩＰフィルタ選択ウィンドウ５０名称、検索ウィンドウ１１、選択ボタン、及び他のクライアント情報のうち、少なくともいずれか１つ以上で構成されることができると説明したが、通常の技術者が実施できる範囲内で様々な構成及びＵＩで実現され得る。
【０１２２】
次いで、ユーザ端末２００ａは、ユーザ１００ａと複数のクライアントとが送受信したメッセージのうち、ＶＩＰから受信したメッセージを抽出してＶＩＰメッセージに分類することができる（ステップＳ１０４）。
【０１２３】
具体的に、ユーザ端末２００ａは、インスタントメッセンジャー実行中、少なくとも１つ以上のチャットルームで受信したＶＩＰメッセージを抽出できる。例えば、ユーザ端末２００ａは、ユーザ１００ａが利用するインスタントメッセンジャー機能内のチャットルームから、ＶＩＰから受信したインスタントメッセージを抽出できる。
【０１２４】
このとき、チャットルームは、ユーザ１００ａとＶＩＰとが共に含まれている全てのチャットルームを含むことができ、ユーザ１００ａとＶＩＰとの間に関連したインスタントメッセージは、ユーザ１００ａとＶＩＰとが共に含まれている全てのチャットルームでＶＩＰが送信したインスタントメッセージを含むことができる。
【０１２５】
また、ユーザ端末２００ａは、ユーザ１００ａが利用する様々なメッセージ送受信機能を介して受信したメッセージのうち、ＶＩＰから受信したメッセージであるＶＩＰメッセージを抽出できる。
【０１２６】
また、ユーザ端末２００ａは、抽出したＶＩＰメッセージを統合チャットルームに集めて見ることが便利なように最終ＶＩＰメッセージに変換することができる（ステップＳ１０５）。
【０１２７】
実施形態において、ユーザ端末２００ａは、インスタントメッセンジャー機能を介して少なくとも１つ以上のチャットルームでＶＩＰから受信したインスタントメッセージを統合チャットルームに表示することが適するようにインスタントメッセージの位置情報などの追加情報をさらに結合して最終ＶＩＰメッセージに変換することができる。
【０１２８】
より具体的に、ユーザ端末２００ａは、インスタントメッセンジャー機能と他の異種形式のメッセージ送受信機能（例えば、メール、プロジェクトコメント、スケジュール管理コメント、決裁メッセージ等）から抽出したＶＩＰメッセージを１つのメッセージ送受信機能（例えば、インスタントメッセンジャー機能）に統合して出力するために、抽出したＶＩＰメッセージの属性を変換させることができる。
【０１２９】
以下、実施形態では、統合出力するメッセージ送受信機能をインスタントメッセンジャー機能に限定して説明するが、上述した様々なメッセージ送受信機能のうち、いずれか１つが統合出力する実施形態も可能である。ただし、タイムラインで複数のＶＩＰメッセージを並べて表示するチャットルーム基盤インスタントメッセンジャー機能が、ユーザ１００ａが統合されたメッセージを直観的かつ早く把握するのに最も望ましい機能である。
【０１３０】
実施形態として、ユーザ端末２００ａは、インスタントメッセンジャー機能のチャットルームで利用できるインスタントメッセージ形式に抽出された異種形式のＶＩＰメッセージの属性を変換することができる。
【０１３１】
より詳細には、ユーザ端末２００ａは、ＶＩＰメッセージがメールである場合、メールの題目及び／又はメール内容の一部を抽出してインスタントメッセージ形式に変換することができる。
【０１３２】
また、ユーザ端末２００ａは、プロジェクトを管理する機能においてＶＩＰがプロジェクトに作成したコメントがＶＩＰメッセージとして抽出されれば、コメントが作成されたプロジェクト進行段階情報及びコメントを抽出してインスタントメッセージ形式に変換することができる。例えば、ユーザ端末２００ａは、コメントが作成されたプロジェクト段階を指定したイメージ及びイメージの下に作成されたコメントを含むインスタントメッセージにＶＩＰメッセージを変換することができる。
【０１３３】
また、ユーザ端末２００ａは、ＳＭＳ及び／又はＳＮＳメッセージ形式からメッセージのヘッドラインだけを抽出してインスタントメッセージ形式に変換することができる。
【０１３４】
さらに、ユーザ端末２００ａは、イメージや動画などの互換のためにも、様々な方式の変換過程を行うことができる。
【０１３５】
そして、ユーザ端末２００ａは、ＶＩＰメッセージの属性変換又は／及び情報追加を介して最終ＶＩＰメッセージを生成できる。ここで、最終ＶＩＰメッセージは、メッセージの内容、メッセージ受信時刻、メッセージの元の属性、メッセージの元の位置、及びメッセージの元の位置へのリンク情報のうち、少なくとも１つ以上の情報を含むことができる。
【０１３６】
そして、このとき、メッセージの元の属性とは、ＶＩＰメッセージを受信したメッセージ送受信機能の種類であってもよい。
【０１３７】
例えば、メッセージの元の属性は、インスタントメッセージ、メールメッセージ、プロジェクトコメントメッセージ、ＳＭＳメッセージ、ＳＮＳメッセージ、スケジュールメッセージ、及び決裁要請メッセージのうち、少なくともいずれか１つの種類であることを表す情報であってもよい。
【０１３８】
さらに、最終ＶＩＰメッセージは、メッセージの元の属性がインスタントメッセージである場合、当該メッセージの前後対話内容情報をさらに含むことができる。このとき、前後対話内容情報は、ＶＩＰが送信したメッセージだけでなく、ユーザ１００ａ及び／又は他のクライアントのメッセージを含むことができる。これを介して、ユーザがＶＩＰメッセージの位置に移動しなくても直観的にＶＩＰメッセージの意味を理解しやすく提供するためである。
【０１３９】
そして、ユーザ端末２００ａは、特別な変換が必要でない場合（例えば、インスタントメッセージ形式のＶＩＰメッセージをインスタントメッセージに持っていく場合）、属性変換過程なしに抽出したＶＩＰメッセージに情報を追加して、最終ＶＩＰメッセージを生成できる。
【０１４０】
最終ＶＩＰメッセージ生成が完了すれば、ユーザ端末２００ａは、最終ＶＩＰメッセージを結合して１つの統合チャットルーム８０を生成し、出力することができる（ステップＳ１０６）。
【０１４１】
また、ユーザ端末２００ａは、統合チャットルーム８０で最終ＶＩＰメッセージ関連の追加管理機能を提供できる（ステップＳ１０７）。
【０１４２】
図７は、本発明の実施形態に係る統合チャットルーム８０を定義するための概念図である。
【０１４３】
具体的に、図７に示すように、ユーザ端末２００ａは、最終ＶＩＰメッセージを含む１つの統合チャットルーム８０を生成し、生成した統合チャットルーム８０を表示することができる。
【０１４４】
実施形態において、ユーザ端末２００ａは、複数のチャットルームでＶＩＰが送信した最終ＶＩＰメッセージを１つの統合チャットルーム８０で時間順に並べて表示することができる。さらに、ユーザ端末２００ａは、インスタントメッセージだけでなく、異種ＶＩＰメッセージを変換した最終ＶＩＰメッセージ等も統合チャットルーム８０に時間順に並べて表示することができる。
【０１４５】
すなわち、ユーザ端末２００ａは、ユーザ１００ａが指定した特定の人であるＶＩＰから受信したメッセージを１つの統合チャットルーム８０に含めて表示することで、ユーザ１００ａが多くのチャットルームや異種メッセージ送受信機能を実行しなくても、最近または特定日にＶＩＰが送ったメッセージを一度に早く確認できるように提供することができる。
【０１４６】
このとき、統合チャットルーム８０は、統合チャットルーム名称８１、最終ＶＩＰメッセージのメッセージ内容８２、メッセージ受信時刻、メッセージの元の属性、メッセージの元の位置、及びメッセージの元の位置へのリンク情報のうち、少なくともいずれか１つ以上の情報を含んで表示することができる。
【０１４７】
さらに、統合チャットルーム８０は、最終ＶＩＰメッセージの元の属性がインスタントメッセージである場合、当該メッセージの前後対話内容情報をさらに含むことができる。このとき、前後対話内容情報は、ＶＩＰが送信したメッセージだけでなく、ユーザ１００ａ及び／又は他のクライアントのメッセージを含むことができる。
【０１４８】
また、ユーザ端末２００ａは、最終ＶＩＰメッセージを１つの統合チャットルーム８０に一括的に表示して確認するようにさせることができる。
【０１４９】
具体的に、ユーザ端末２００ａは、最終ＶＩＰメッセージをメッセージ受信時刻、メッセージの元の属性、メッセージ位置、及びユーザ１００ａ指定優先順位のうち、少なくともいずれか１つ以上を基準に整列して一括表示することができる。
【０１５０】
実施形態として、ユーザ端末２００ａは、最終ＶＩＰメッセージのメッセージ受信時刻情報を基準に最終ＶＩＰメッセージを整列して、最も最近に受信したＶＩＰメッセージから統合チャットルーム８０に一括表示することができる。
【０１５１】
実施形態では、ユーザ端末２００ａが最終ＶＩＰメッセージのメッセージ受信時刻情報を基準に最終ＶＩＰメッセージを整列すると説明したが、さらに他の実施形態では、ユーザ１００ａが指定した優先順位を基準に最終ＶＩＰメッセージを整列することができ、メッセージの元の属性情報を基準に最終ＶＩＰメッセージを整列することができるなど、通常の技術者が実施できる範囲で様々な実施形態が可能である。
【０１５２】
また、ユーザ端末２００ａは、統合チャットルーム８０の背景色をユーザ１００ａが任意に設定するようにさせることができる。
【０１５３】
具体的に、ユーザ端末２００ａは、ユーザ１００ａが他のチャットルーム及び／又は統合チャットルーム８０との区別、ユーザ１００ａの個人嗜好などの様々な理由で任意の統合チャットルーム８０の背景色を変更する場合、ユーザ１００ａが所望する背景色に統合チャットルーム８０の背景色を設定するようにさせることができる。
【０１５４】
また、ユーザ端末２００ａは、前述した情報を基盤とする追加管理機能を提供できる。
【０１５５】
具体的に、ユーザ端末２００ａは、ユーザ１００ａが最終ＶＩＰメッセージのメッセージ内容８２、メッセージ受信時刻、メッセージの元の属性、メッセージの元の位置及びメッセージの元の位置へのリンク情報、及び前後対話内容情報のうち、少なくとも１つ以上に関する情報を活用して追加的な動作を駆動するための追加管理機能を利用することを所望する場合、追加管理機能を利用できる追加管理機能ボタンを統合管理方に含んで提供することができる。
【０１５６】
このとき、追加管理機能ボタンは、統合チャットルーム８０内の最終ＶＩＰメッセージを各々表示するレイヤの任意の位置に付与されることができ、メッセージ受信時刻ボタン８３、メッセージの元の属性ボタン８４、メッセージの元の位置及びメッセージの元の位置へのリンクボタン８５、及び前後対話内容ボタン８６のうち、少なくともいずれか１つ以上を含むことができる。
【０１５７】
また、追加管理機能ボタンは、ユーザ１００ａの入力ジェスチャーに基づいて各機能別要請信号を生成し、ユーザ端末２００ａが追加管理機能を駆動するようにさせるトリガー信号を提供できる。
【０１５８】
実施形態として、追加管理機能ボタンは、ユーザ１００ａが前後対話内容ボタン８６を選択した場合、ユーザ１００ａの入力に基づいて前後対話内容要請信号を生成できる。
【０１５９】
また、ユーザ端末２００ａは、ユーザ１００ａが統合チャットルーム８０で任意の最終ＶＩＰメッセージに対してメモを作成するようにさせることができるメモ機能をさらに提供することができる。このとき、追加管理機能ボタンは、メモ機能を提供できるメモボタン８７をさらに備えることができる。
【０１６０】
実施形態として、ユーザ端末２００ａは、統合チャットルーム８０を生成した後、ユーザ１００ａの任意の最終ＶＩＰメッセージに対する前後対話内容情報要請信号を検出できる。
【０１６１】
そして、ユーザ端末２００ａは、最終ＶＩＰメッセージが前後対話内容情報を含んでいる場合、前後対話内容情報を統合チャットルーム８０に追加して出力することができる。
【０１６２】
このとき、ユーザ端末２００ａは、前後対話内容情報の出力において、前後対話内容情報を、最終ＶＩＰメッセージを表示するレイヤに追加して出力することができ、新しいポップアップウィンドウを生成して出力することもできるなど、様々な実施形態を含むことができる。
【０１６３】
例えば、ユーザ端末２００ａは、前後対話内容情報を、最終ＶＩＰメッセージを表示するレイヤに追加して出力する場合、最終ＶＩＰメッセージのメッセージ内容８２に最終ＶＩＰメッセージだけでなく、前後対話内容情報を含んで出力することもできる。
【０１６４】
一方、追加管理機能のさらに他の実施形態として、ユーザ端末２００ａは、統合チャットルーム８０を生成した後、ユーザ１００ａの任意の最終ＶＩＰメッセージに対するメッセージの元の位置及び元の位置へのリンク要請信号を検出できる。
【０１６５】
そして、ユーザ端末２００ａは、任意の最終ＶＩＰメッセージに含まれたメッセージの元の位置及び元の位置へのリンク情報に基づいて、任意の最終ＶＩＰメッセージの基礎となるＶＩＰメッセージの位置に移動する機能を提供できる。
【０１６６】
具体的に、ユーザ端末２００ａは、任意の最終ＶＩＰメッセージの基礎となるＶＩＰメッセージの位置がインスタントメッセージ機能の他のチャットルームである場合、任意の最終ＶＩＰメッセージを含む統合チャットルーム８０の画面出力から他のチャットルームの画面出力に出力内容を変更することができる。
【０１６７】
ここで、ユーザ端末２００ａは、最終ＶＩＰメッセージの追加管理機能で任意の最終ＶＩＰメッセージの基礎となるＶＩＰメッセージの位置に移動する機能を提供するために、通常の技術者が実施できる様々なプログラミング技術、ハイパーテキスト上のリンク技術などを使用できる。
【０１６８】
また、実施形態では、ユーザ端末２００ａがインスタントメッセージ機能の他のチャットルームへ移動すると説明したが、メールメッセージ機能、プロジェクト管理機能、ＳＭＳ機能、ＳＮＳ機能、スケジュール管理機能、及び決裁管理機能など、通常の技術者が実施できる範囲内で様々な実施形態が可能である。
【０１６９】
また、追加管理機能のさらに他の実施形態として、ユーザ端末２００ａは、統合チャットルーム８０を生成した後、ユーザ１００ａの任意の最終ＶＩＰメッセージに対するメモ要請信号を検出できる。
【０１７０】
そして、ユーザ端末２００ａは、任意の最終ＶＩＰメッセージの上下左右の一端のうち、いずれか１つの端にユーザ１００ａのメモを挿入するようにさせることができる。
【０１７１】
一方、ユーザ端末２００ａは、統合チャットルーム８０内での検索機能をさらに含むことができる。
【０１７２】
具体的に、ユーザ端末２００ａは、ユーザ１００ａが統合チャットルーム８０内の検索機能のための統合検索ウィンドウ８８を介して特定の最終ＶＩＰメッセージだけを抽出して確認するようにさせることができる。
【０１７３】
例えば、ユーザ端末２００ａは、ＶＩＰグループが含まれた統合チャットルーム８０である場合、任意のＶＩＰだけを検索し、任意のＶＩＰと関連した最終ＶＩＰメッセージだけを抽出して確認することができる。
【０１７４】
さらに他の実施形態として、ユーザ端末２００ａは、統合チャットルーム８０で特定メッセージの元の属性を検索して、特定メッセージの元の属性と関連した最終ＶＩＰメッセージだけを抽出して確認することができ、統合チャットルーム８０で特定メッセージ受信時刻を検索して、特定メッセージ受信時刻と関連した最終ＶＩＰメッセージだけを抽出して確認することもできる。
【０１７５】
また、ユーザ端末２００ａは、ユーザ１００ａがＶＩＰを設定した場合、ＶＩＰとユーザ１００ａとの間に関連したＶＩＰメッセージに強調表示をすることができる。
【０１７６】
具体的に、ユーザ端末２００ａは、ＶＩＰメッセージの可読性を高めるために、ＶＩＰメッセージテキストの大きさ変更、太さ変更、下線追加、及び背景色表示のうち、少なくともいずれか１つ以上を含んでＶＩＰメッセージを強調表示することができる。
【０１７７】
実施形態として、図８に示すように、ユーザ端末２００ａは、インスタントメッセージ機能のチャットルームでユーザ１００ａが設定したＶＩＰが送信したインスタントメッセージテキストを太く、下線を追加し、背景色を指定して強調表示することができる。
【０１７８】
また、ユーザ端末２００ａは、ユーザ１００ａが設定したＶＩＰからメッセージを受信する場合、ＶＩＰ別の報知音に差をつけて設定することができる。
【０１７９】
また、ユーザ端末２００ａは、ＶＩＰから受信したメッセージのメッセージ送受信機能によって報知音に差をつけて設定することもできる。
【０１８０】
例えば、ユーザ端末２００ａは、インスタントメッセージ機能でＶＩＰメッセージを受信する場合と、メールメッセージ機能でＶＩＰメッセージを受信する場合の報知音を互いに異なるように設定して区分させることができる。
【０１８１】
また、ユーザ端末２００ａは、生成した統合チャットルーム８０の全ての最終ＶＩＰメッセージを一括削除する機能を提供することもできる。
【０１８２】
以上、本発明の実施形態では、ユーザ１００ａが指定した特定クライアントをＶＩＰに設定し、ユーザ１００ａと設定したＶＩＰとの間に関連したメッセージを抽出及び結合して１つの統合管理室を生成し、生成した統合管理室を出力及び管理するなどの一連の過程を端末２００で行うと説明したが、さらに他の実施形態では、図９のように、端末２００と連動するＶＩＰ管理サービス提供サーバ３００が一連の過程を処理する主体となって、ＶＩＰ管理機能を、端末２００を介して提供することもできる。
【０１８３】
具体的に、ＶＩＰ管理サービス提供サーバ３００は、特定のユーザ１００ａと複数のクライアントとが送受信したメッセージを格納することができる（Ｓ２０１）。
【０１８４】
また、ＶＩＰ管理サービス提供サーバ３００は、特定のユーザ１００ａのユーザ端末２００ａからＶＩＰ設定要請情報を取得できる（Ｓ２０２）。
【０１８５】
次いで、ＶＩＰ管理サービス提供サーバ３００は、ユーザ端末２００ａにＶＩＰ設定機能を提供できる（Ｓ２０３）。
【０１８６】
また、ＶＩＰ管理サービス提供サーバ３００は、ユーザ端末２００ａからＶＩＰ設定情報を受信できる（Ｓ２０４）。
【０１８７】
ＶＩＰ設定情報を受信したＶＩＰ管理サービス提供サーバ３００は、ＶＩＰ設定情報に基づいて特定クライアントをＶＩＰに選定することができる（Ｓ２０５）。
【０１８８】
そして、ＶＩＰ管理サービス提供サーバ３００は、特定のユーザ１００ａと複数のクライアントとが送受信したメッセージからＶＩＰメッセージを抽出できる（Ｓ２０６）。
【０１８９】
次に、ＶＩＰメッセージを抽出したＶＩＰ管理サービス提供サーバ３００は、抽出したＶＩＰメッセージを変換して最終ＶＩＰメッセージを生成できる（Ｓ２０７）。
【０１９０】
また、ＶＩＰ管理サービス提供サーバ３００は、最終ＶＩＰメッセージ等を統合して１つの統合チャットルームを生成し、格納することができる（Ｓ２０８）。
【０１９１】
そして、ＶＩＰ管理サービス提供サーバ３００は、生成した統合チャットルームを特定ユーザ１００ａのユーザ端末２００ａに送信することができる（Ｓ２０９）。
【０１９２】
このように、本発明は、様々なメッセージ送受信機能上に存在するユーザ１００ａとＶＩＰとの間に関連したメッセージを１つのメッセージ送受信機能に結合して提供することにより、ユーザ１００ａに重要なメッセージ及びＶＩＰを効果的に管理することができる。
【０１９３】
以上、説明された本発明に係る実施形態は、様々なコンピュータ構成要素を介して実行され得るプログラム命令語の形態で実現されて、コンピュータ読み取り可能な記録媒体に記録されることができる。コンピュータ読み取り可能な記録媒体は、プログラム命令語、データファイル、データ構造などを単独でまたは組み合わせて含むことができる。コンピュータ読み取り可能な記録媒体に記録されるプログラム命令語は、本発明のために特別に設計され、構成されたものであるか、コンピュータソフトウェア分野の当業者に公知されて使用可能なものであってもよい。コンピュータ読み取り可能な記録媒体の例では、ハードディスク、フロッピーディスク、及び磁気テープのような磁気媒体、ＣＤ−ＲＯＭ及びＤＶＤのような光記録媒体、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉｕｍ）、及びＲＯＭ、ＲＡＭ、フラッシュメモリなどのような、プログラム命令語を格納し、実行するように特別に構成されたハードウェア装置が含まれる。プログラム命令語の例では、コンパイラによって作られるような機械語コードだけでなく、インタープリターなどを使用してコンピュータにより実行され得る高級言語コードも含まれる。ハードウェア装置は、本発明に係る処理を行うために、１つ以上のソフトウェアモジュールに変更されることができ、その逆も同様である。
【０１９４】
本発明において説明する特定実行等は、一実施形態であって、いかなる方法でも本発明の範囲を限定するものではない。明細書の簡潔さのために、従来、電子的な構成ら、制御システムら、ソフトウェア、システムらの他の機能的な側面等の記載は省略されることができる。また、図面に図示された構成要素等間の線等の接続または接続部材等は、機能的な接続及び／又は物理的または回路的接続を例示的に示したものであって、実際装置では、代替可能であるか、追加の様々な機能的な接続、物理的な接続、または回路接続として示されることができる。また、「必須な」、「重要に」などのように、具体的な言及がなければ、本発明の適用のために必ず必要な構成要素でない場合がある。
【０１９５】
また、説明した本発明の詳細な説明では、本発明の望ましい実施形態を参照して説明したが、当該技術分野の熟練された当業者または当該技術分野における通常の知識を有する者であれば、後述する特許請求の範囲に記載された本発明の思想及び技術領域から逸脱しない範囲内で本発明を様々に修正及び変更させ得ることが理解できる。したがって、本発明の技術的範囲は、明細書の詳細な説明に記載された内容に限定されるものではなく、特許請求の範囲により決められるべきである。
【符号の説明】
【０１９６】
１０：選択ウィンドウ、１０ａ：クライアント、１０ｂ：クライアント、１０ｃ：クライアント、１１：検索ウィンドウ、２０：目録ウィンドウ、２０ａ：クライアント、２０ｂ：クライアント、２０ｃ：クライアント、３０：選択ウィンドウ、４０：目録ウィンドウ、５０：フィルタ選択ウィンドウ、５２：選択解除、６０：目録ウィンドウ、７０：目録ウィンドウ、８０：統合チャットルーム、８１：統合チャットルーム名称、８２：メッセージ内容、８３：メッセージ受信時刻ボタン、８４：属性ボタン、８５：リンクボタン、８６：前後対話内容ボタン、８７：メモボタン、８８：統合検索ウィンドウ、１００：ユーザ、１００ａ：特定ユーザ、１００ａ：ユーザ、１００ｃ：クライアント、２００：端末、２００ａ：ユーザ端末、２００ｂ：クライアント端末、２００ｃ：クライアント端末、２００ｄ：クライアント端末、２００ｅ：クライアント端末、２００ｎ：クライアント端末、２１０：通信部、２２０：メモリ、２２０：フラッシュメモリ、２３０：インターフェース部、２４０：ディスプレイ部、２５０：入力部、２６０：出力部、２７０：プロセッサ、３００：管理サービス提供サーバ
【図１】
2020021479.tif 000003
【図２】
2020021479.tif 000004
【図３】
2020021479.tif 000005
【図４】
2020021479.tif 000006
【図５】
2020021479.tif 000007
【図６】
2020021479.tif 000008
【図７】
2020021479.tif 000009
【図８】
2020021479.tif 000010
【図９】
2020021479.tif 000011